(57)【特許請求の範囲】
【請求項１】
表示窓およびレンズを具えたデジタルカメラに組み合わされて動作する拡大装置であって、そのケースが視認窓とデジタルカメラを配置する受座とを具えたケースを有しており、ケースの視認窓と受座中に配置されたデジタルカメラのレンズとは実質的に同方向を向くように構成されており、表示窓から発生した光線を視認窓へ導き、これによって使用者がレンズを通して映像情報を記憶しかつ視認窓を通して映像情報を観賞することができる導光ユニットを含んでなることを特徴とするデジタルカメラ用拡大装置。
【請求項２】
導光ユニットは反射鏡セットであり、反射鏡セットは少なくとも１個の反射鏡を含むことを特徴とする請求項１に記載の拡大装置。
【請求項３】
さらに受座中に収納されたデジタルカメラと電気的に接続されて外部の状態の変化に応じてデジタルカメラを励起して映像情報を放送する検知装置を含み、検知装置は動作検知ユニットと振動検知ユニットのいずれかを選んで用い、それが外部の振動または外部の物体の移動に応じてデジタルカメラを励起して映像情報を放送することを特徴とする請求項１に記載の拡大装置。
【請求項４】
さらに押ボタンがケース上に設けられており該押ボタンは検知装置の開閉選択に用いられ、検知装置を開けたときには外部の状態の変化に応じて自動的に映像情報を放送し、検知装置を閉めた時には、使用者の操作に応じて情報を放送することを特徴とする請求項３に記載の拡大装置。
【請求項５】
さらに音声情報を受ける音声入力ユニットと、音声情報を放送する音声放送ユニットが含まれており、音声入力および放送ユニットはケース上に設けられた押ボタンの開閉により必要とする音声および／または映像情報の入力または情報の放送機能を選択できることを特徴とする請求項１に記載の拡大装置。
【請求項６】
音声入力ユニットと音声放送ユニットがそれぞれマイクとスピーカーであることを特徴とする請求項５に記載の拡大装置。
【請求項７】
さらに文字情報を入力するのに用いる手書き入力ユニットを有しており手書き入力ユニットがケース上に設けられた押ボタンの開閉により必要とする文字および／または映像情報の入力または情報の放送機能を選択し得ることを特徴とする請求項１に記載の拡大装置。
【請求項８】
さらにそれぞれ映像情報の記憶開始、映像情報の放送開始および映像情報のコンピューターへの伝送開始に用いられることを特徴とする請求項１に記載の拡大装置。
【請求項９】
視認窓およびデジタルカメラを配置するのに用いる受座を具えてかつ表示窓およびレンズを具えるデジタルカメラに合わせて動作する拡大装置であって、そのケースの視認窓とデジタルカメラの表示窓とが実質的に同方向に向くように構成されており、導光ユニットがケースの内部に設けられていて、視認窓が受けた光線をレンズに導き、それにより使用者が視認窓を通して、映像情報を記憶しかつ表示窓を通して映像情報を鑑賞することができることを特徴とする拡大装置。
【請求項１０】
表示窓およびレンズを具えたデジタルカメラに合わせて動作する拡大装置であって、ケースと検知装置を有しており、該ケースは視認窓およびデジタルカメラを配置するための受座を具えており、検知装置はケース上に設けられて、受座中に配置されたデジタルカメラに電気的に接続され、外部の状態の変化に応じてデジタルカメラを励起して映像情報を放送することを特徴とする拡大装置。
【請求項１１】
ケースの内部には導光ユニットが設けられており、該導光ユニットは視認窓が受けた映像をレンズに導き、視認窓とデジタルカメラの表示窓が実質的に同方向に向いていて、使用者が視認窓を通して映像情報を記憶するとともに表示窓を通して、映像情報を鑑賞することができることを特徴とする請求項１０に記載の拡大装置。
【請求項１２】
ケースの内部に導光ユニットが設けられており、レンズが表示窓上の映像を視認窓に導き、視認窓とデジタルカメラのレンズが実質的に同方向に向いており、使用者が視認窓を通して、映像情報を記憶するとともに、表示窓を通して、映像情報を鑑賞することができることを特徴とする請求項１０に記載の拡大装置。
【発明の詳細な説明】
【０００１】
【産業上の利用分野】
この発明は拡大装置に関するものであり、特にデジタルカメラに用いられる拡大装置に関するものである。
【０００２】
社会の情報化およびデジタル化に伴い、デジタルカメラも逐次現代の家庭中では普遍的な電機製品のひとつになってきている。
【０００３】
図１に示すように、デジタルカメラ１は、ケース１０、ケース１０の一方の面（前面）上に設けられているレンズ１１、ケース１０対向する面に亙って延在するファインダー１２、ケース１０の上面に設けられているシャッターボタン１３を有している。ファインダー１２は該ボタンを用いて撮影を起動するものである。
【０００４】
また図２に示すように、ケース１０の他方の面（後面）上には表示窓１４がレンズ１１に対応する位置に付設されている。この表示窓１４は通常液晶ディスプレーであり、ファインダーで得た画面を同時に表示するのに用いる。これによって使用者がファインダーを見ることなく直接液晶ディスプレーを通して撮った画面を見ることができる。
【０００５】
また一般のデジタルカメラは全て信号の出力端子を具えており、これを用いて撮った写真をデジタルファイル形式でコンピューターなどの装置に転送し記憶して見るようになっている。
【０００６】
【発明が解決しようとする課題】
しかしながら、デジタルカメラは一般には写真を撮る時にのみ使用されるので、その他の時間は完全に不要となるので、家庭用としてはコスト面で割に合わない。
【０００７】
かかる従来技術の現状に鑑みてこの発明の目的は、デジタルカメラに応用する拡大装置を提供して、デジタルカメラにより多くの機能を持たせ、これによってデジタル化生活の要求を満たし、併せてそのコスト面での効果を増やすことにある。
【０００８】
【課題を解決するための手段】
このためこの発明の拡大装置はディスプレーおよびレンズを具えるデジタルカメラに組み合わせ動作するものであって、そのケースは視認窓およびデジタルカメラを配置するのに用いる受座を具えている。視認窓と受座中に配置されるデジタルカメラのレンズとが実質的に同方向に向くように構成されており、ケース内に設けられ、ディスプレーから発生した光線を視認窓へ導き、これによって使用者がレンズを通して映像情報を記憶しかつ視認窓を通して映像情報を観賞することができる導光ユニットを有している。
【０００９】
導光ユニットは好ましくは反射鏡セットであり、反射鏡セットは少なくとも１個の反射鏡を含んでいる。
【００１０】
好ましくは拡大装置はさらに、受座中に配置されているデジタルカメラと電気的に接続し、それが外部の状態の変化に応じてデジタルカメラを励起して映像情報を放送する検知装置を有している。検知装置は外部の振動に応じてデジタルカメラを励起して映像情報を放送し得るので、振動検知ユニットにすることができる。検知装置はまた、外部の物体移動に応じてデジタルカメラを励起して映像情報を放送し得るので、動作検知ユニットにすることができる。
【００１１】
好ましくは拡大装置にはさらに押ボタンが設けられており、使用者が押ボタンにより自動または手動の情報放送機能を選択することができる。
【００１２】
ディスプレーは好ましくは液晶ディスプレーである。さらに音声情報を受け取る音声入力ユニット、音声情報を放送する音声放送ユニット、および押ボタンなども有するのが望ましい。使用者が押ボタンにより必要な音声および／または映像情報の入力または放送の機能を選択し得る。音声入力ユニットと音声放送ユニットは、それぞれマイクとスピーカーである。
【００１３】
拡大装置はさらに文字情報を入力するのに用いる手書き入力ユニットと押ボタンを有するのが望ましい。使用者が押ボタンにより必要な文字および／または映像情報の入力または情報放送の機能を選択し得る。
【００１４】
また拡大装置のケースは視認窓およびデジタルカメラを配置するに用いる受座を具え、視認窓とデジタルカメラのディスプレーが、実質的に同方向に向いている。ケース内には導光ユニットが設けられており、視認窓で受け取った光線をレンズへ導き、これによって使用者が視認窓を通して映像情報を記憶しかつディスプレーを通して映像情報を観賞することができる。
【００１５】
拡大装置は好ましくはさらにそれぞれ映像情報の記憶おび放送を開始し、コンピューターに映像情報の伝達を開始するのに用いる複数個の押ボタンを有している。
【００１６】
この発明の拡大装置のケースは視認窓およびデジタルカメラを配置するのに用いる受座を具えている。ケース上には検知装置が設けられており、受座中に配置されるデジタルカメラと電気的に接続し、それが外部の状態の変化に応じてデジタルカメラを励起して映像情報を放送し得る。
【００１７】
好ましくは拡大装置がさらに導光ユニットを有しており、該導光ユニットはケース内に設けられ、視認窓から受け取った光線をレンズに誘導する。ケースの視認窓が実質的にデジタルカメラのディスプレーと同方向に向くように構成されていて、使用者が視認窓を通して映像情報を記憶すると同時にディスプレーを通して映像情報を観賞することができる。
【００１８】
好ましくは拡大装置がさらに導光ユニットを有しており、該導光ユニットはケース内に設けられ、ディスプレーから発生する光線を視認窓に誘導する。ケース視認窓が実質的にデジタルカメラのレンズと同方向に向くように構成されていて、使用者が視認窓を通して映像情報を記憶すると同時にディスプレーを通して映像情報を観賞することができる。
【００１９】
【実施例】
図３に示す一実施例の拡大装置２はケース２０を有しており、その上に受座２１、視認窓２２および複数個の押ボタン２３などが配置されている。受座２１はデジタルカメラを配置するのに用いられる。
【００２０】
図４において、デジタルカメラ１は受座２１上に置かれレンズ１１を使用者に向けた際、レンズが捉えた映像データをデジタルカメラ１の反面に位置した液晶ディスプレー上に表示し、この映像の光線はさらに、拡大装置２内部の導光ユニット３３（例えば適切に配置された１組の反射鏡セット）によって視認窓２２に伝送する。このとき使用者は視認窓２２を通して液晶ディスプレーの表示する映像を観賞することができる。視認窓２２は、実質的にデジタルカメラ１のレンズ１１がいずれも使用者の方向に向いているので、使用者がレンズ１１を通して映像情報を記憶すると同時に視認窓２２を通して映像情報を観賞することができる。
【００２１】
図５に示す拡大装置とにおいて、映像情報がデジタルカメラ１のレンズ１１を通して液晶ディスプレー３２に表示された時、映像情報はさらに拡大装置２の導光ユニット３３の作用によって視認窓２２中に表示され、これによって使用者がレンズ１１を通して映像情報を記憶すると同時に視認窓２２を通して映像情報を観賞することができる。
【００２２】
図６において、それは拡大装置をデジタルカメラに応用した他の一実施例の機能ブロックの見取り図を表わす。この実施例中の拡大装置中に挿置のデジタルカメラの方向は第４図中に示されたものと相反している。換言すれば、デジタルカメラのレンズは、拡大装置内部２に位置する導光ユニット３３に向いており、ディスプレー３２は視認窓２２と共に使用者に向いている。図６において、映像情報が拡大装置３３の視認窓２２より入力された後、導光ユニット３３を通してデジタルカメラ１のレンズ１１に入り、続いて使用者に向いている液晶ディスプレー３２に表示される。
【００２３】
これにより、使用者はレンズ１１を通して、映像情報を記憶すると同時に、液晶ディスプレー３２を通して、映像情報を鑑賞することができる。前述の押ボタン２３については、映像情報の記憶開始、放送開始および映像情報をコンピューターへの伝送開始に用いることができる。
【００２４】
図７において、映像情報の記憶および表示以外に、拡大装置は情報に応じて音声情報を記憶したりまたは放送したりすることが可能である。そのデジタルカメラ４０はレンズ４１、液晶ディスプレー４２、デジタル信号処理ユニット４３（ＤＳＰ）およびメモリー４４を有している。しかしこの本実施例では、受座（図３）、導光ユニット４６と視認窓４７以外に、さらに振動検知ユニット４８、マイク４９１およびスピーカー４９２などが含まれている。デジタル信号処理ユニット４３はレンズ４１、液晶ディスプレー４２、メモリー４４、マイク４９１、スピーカー４９２および振動検知ユニット４８と電気的に接続されている。
【００２５】
レンズ４１とマイク４９１は入力された映像および音声情報を受け取り、映像および音声情報はメモリー４４中に記憶される。振動検知ユニット４８が外部の振動に応じて励起信号を発生した時、デジタル信号処理ユニット４３は励起信号に応じてメモリー４４から映像と音声情報を読み出し、かつ液晶ディスプレー４２を用いて映像情報を放送しかつマイク４９２で音声情報を放送する。拡大装置４５の導光ユニット４６の作用によって映像情報を視認窓２２中に表示し、これによって使用者がデジタルカメラを回転または移動させる必要なしに、視認窓２２を通して記憶した映像情報を見ることができる。
【００２６】
拡大装置はデジタルカメラに合わせて操作を行う際、使用者はレンズ４１とマイク４９１を通して音声伝言情報を入力してメモリーに記憶させることができる。後拡大装置が振動を受けた際には、振動検知ユニット４８の作用により、音声伝言情報は液晶ディスプレー４２とスピーカー４９２によって放送される。これから明らかなように、この発明の拡大装置は、普通のデジタルカメラを伝言機能を持つ機器にすることができる。
【００２７】
したがってもしデジタルカメラと拡大装置を組合わせて冷蔵庫の扉に付着または掛けると、冷蔵庫を開けた際に振動検知ユニット４８は直ちに励起信号を発し、これによって伝言情報が放送され、使用者に知らせる、例えば節食、服薬またはその他重要情報を促し、遅れによる誤りを防ぐ。
【００２８】
前記の検知装置はまた別の押ボタン２３（図３、図４）により開閉することが可能である。検知装置を開ける時には、外部の情況の変化に応じ、自動的に映像情報を放送し、検知装置を閉める時には、使用者の操作に応じて映像情報を放送することができる。
【００２９】
図８に拡大装置をデジタルカメラに応用した他の実施例を示す。デジタルカメラ５０にはレンズ５１、液晶ディスプレー５２、デジタル信号処理ユニット５３およびメモリー５４などが含まれる。この実施例において、液晶ディスプレー５２は外に向かって回転することによって展開形式でレンズ５２と同方向にさせることができる。受座および視認窓以外に拡大装置５５は振動検知ユニット５６、マイク５７およびスピーカー５８などを有している。この実施例中の各構成要素の相関構造と機能は図７の実施例と同様である。主な違いは伝言者または使用者が再び導光ユニットの作用に依ることなく、直接液晶ディスプレー５２を通して映像情報を見ることができることにある。
【００３０】
その外に、上記の各実施例中の振動検知ユニットは動作検知ユニットとしても用いることができる、例えば赤外線動作検知ユニットの型式で構成することができる。さらに各実施例中の拡大装置は皆手書き入力ユニットを含むことができる、これを用いて文字情報を入力する。また複数個の押ボタンを各情報の出力、放送ユニットおよび検知装置に対応してそれぞれ電気的に接続することもできる。
【００３１】
これによって、使用者は実情に合わせて各種の入力情報または情報放送の機能および知らせて貰うかなどの必要な機能を複数個の押ボタンから選んで用いることができる。
【００３２】
【発明の効果】
以上から明らかなように、この発明のデジタルカメラ用拡大装置は一般のデジタルカメラの機能を充実させることができることに加えて、伝言機の機能を持たせることができる。よってデジタルカメラの使用率の低さとコスト利便の採算に合わない欠点を有効に解決することができ、かつ利便性と人間性の条件に合致し、このため産業への応用価値がある。
【図面の簡単な説明】
【図１】従来知られているデジタルカメラの正面図である。
【図２】同じく後面図である。
【図３】この発明の一実施例のデジタルカメラの拡大装置の斜視図である。
【図４】同じく正面図である。
【図５】この発明の拡大装置をデジタルカメラに応用した一実施例の機能ブロック図である。
【図６】この発明の拡大装置をデジタルカメラに応用した他の実施例の機能ブロック図である。
【図７】この発明の他の実施例の拡大装置をデジタルカメラに応用した機能ブロック図である。
【図８】この発明の他の実施例の拡大装置をデジタルカメラに応用した機能ブロック図である。
【符号の説明】
１、４０、５０：  デジタルカメラ
２、４５、５５：  拡大装置
１０：  ケース
１１、４１、５１：  レンズ
１２：  ファインダー
１３：  シャッターボタン
１４、３２、４２、５２：  液晶ディスプレー
２１：  受座
２２、４７：  視認窓
２３：  押ボタン
３３、４６：  導光ユニット
４４、４５：  メモリー
４３、５３：  デジタル信号処理ユニット
４８、５６：  振動検知ユニット
４９１、５７：  マイク
４９２、５８：  スピーカー
【図１】
0003623207.tif 000002
【図２】
0003623207.tif 000003
【図３】
0003623207.tif 000004
【図４】
0003623207.tif 000005
【図５】
0003623207.tif 000006
【図６】
0003623207.tif 000007
【図７】
0003623207.tif 000008
【図８】
0003623207.tif 000009